(57)【要約】【課題】従来の放送受信装置は、コンテンツを人物と関連付ける際にその都度、ユーザ名等に対応する固有のユーザＩＤ等を入力する必要があり、ユーザにとって煩雑であった。【解決手段】この発明の放送受信装置は、放送で送信されるコンテンツを予め設定された中から選択された人物と関連付けて予約設定する予約設定手段と、予約設定された放送を受信する放送受信手段と、受信されたコンテンツを予め設定された中から選択されて予約設定された人物と関連付けて記録媒体へ記録するように構成している。【選択図】  図１
2004201151.tif 000002
【特許請求の範囲】
【請求項１】
放送で送信されるコンテンツを予約に応じて受信する放送受信装置において、
放送で送信されるコンテンツを予め設定された中から選択された人物と関連付けて予約設定する予約設定手段と、
前記予約設定手段で受信を予約設定されたコンテンツが放送される放送を受信する放送受信手段と、
前記放送受信手段を通して受信されたコンテンツを前記予め設定された中から選択されて予約設定された人物と関連付けて記録媒体へ記録する記録手段を備えることを特徴とする放送受信装置。
【請求項２】
放送で送信されるコンテンツを予約に応じて受信する放送受信装置において、
予め設定された表示の中から人物が選択される選択手段と、
放送を受信することで受信されるコンテンツが設定されるコンテンツ設定手段と、
前記選択された人物と前記設定されたコンテンツが関連付けられるように予約設定される予約設定手段とを備えることを特徴とする放送受信装置。
【請求項３】
記録媒体に記録されたコンテンツを検索するコンテンツ検索装置において、
予め設定された表示の中から人物が選択される選択手段と、
人物と関連付けられたコンテンツが記録される記録手段と、
前記選択された人物に関連するコンテンツを前記記録手段に記録されたコンテンツの中から検索し、前記人物に関連するコンテンツの内容を表示するコンテンツ内容表示手段とを備えることを特徴とするコンテンツ検索装置。
【請求項４】
記録媒体に記録されたコンテンツを再生するコンテンツ再生装置において、
予め設定された表示の中から人物が選択される選択手段と、
人物と関連付けられたコンテンツが記録される記録手段と、
前記選択された人物に関連するコンテンツを前記記録手段に記録されたコンテンツの中から検索し、前記検索されたコンテンツの内容を表示するコンテンツ内容表示手段と、
前記コンテンツ内容表示手段に表示されたコンテンツの中から選択されたコンテンツを前記記録手段から読み出して再生するコンテンツ再生手段とを備えることを特徴とするコンテンツ再生装置。
【請求項５】
前記コンテンツ内容表示手段は選択されるコンテンツを他の選択されないコンテンツとは識別可能に表示する識別表示手段を備えることを特徴とする請求項４に記載のコンテンツ再生装置。
【請求項６】
前記コンテンツ内容表示手段は、前記選択された人物が複数の場合は、前記検索されたコンテンツの内容をコンテンツ毎に関連する人物と関連付けて表示することを特徴とする請求項５に記載のコンテンツ再生装置。
【請求項７】
放送で送信されるコンテンツを予め設定された中から選択された人物と関連付けて予約設定するステップと、
予約設定されたコンテンツを、放送を受信することで受信するステップと、
受信されたコンテンツを前記予め設定された中から選択されて予約設定された人物と関連付けて記録するステップを備えることを特徴とする放送受信方法。
【請求項８】
予め設定された表示の中から人物が選択されるステップと、
放送を受信することで受信されるコンテンツが設定されるステップと、
選択された人物と設定されたコンテンツが関連付けられて予約設定されるステップとを備えることを特徴とする放送受信方法。
【請求項９】
予め設定された表示の中から人物が選択されるステップと、
人物と関連付けられたコンテンツが記録されるステップと、
選択された人物に関連するコンテンツを記録されたコンテンツの中から検索し、人物に関連するコンテンツの内容を表示するステップとを備えることを特徴とするコンテンツ検索方法。
【請求項１０】
予め設定された表示の中から人物が選択されるステップと、
人物と関連付けられたコンテンツが記録されるステップと、
選択された人物に関連するコンテンツを記録手段に記録されたコンテンツの中から検索し、検索されたコンテンツの内容を表示するステップと、
表示されたコンテンツの中から選択されたコンテンツを読み出して再生するステップとを備えることを特徴とするコンテンツ再生方法。
【発明の詳細な説明】
【０００１】
【発明の属する技術分野】
この発明は放送で送信されるコンテンツ（番組）を予約に応じて受信する放送受信装置に係り、特に、放送を受信する放送受信装置、記録されたコンテンツを検索するコンテンツ検索装置、記録されたコンテンツを再生するコンテンツ再生装置に関する。
【０００２】
【従来の技術】
従来の放送で送信されるコンテンツを予約に応じて受信する技術は、制御部が登録されたユーザ名／グループ名それぞれに固有のユーザＩＤ／グループＩＤを管理し、ユーザ認証処理部によるユーザ認証の結果に基づいて録画を要求したユーザを識別し、そのユーザに対応するユーザＩＤ／グループＩＤを暗号化キーとして使用して、録画対象のＡＶデータを暗号化して記録するようにしている。（例えば特許文献１）。
【０００３】
【特許文献１】
特開平２００２−１５７８２１号公報（第６−７頁、図３、４、５、６、７）
【０００４】
【発明が解決しようとする課題】
上記特許文献１の技術は、放送受信装置の使用の際にはその都度、ユーザ名やグループ名それぞれに対応する固有のユーザＩＤやグループＩＤを入力する必要があり、ユーザにとっては非常に煩雑であった。
【０００５】
【課題を解決するための手段】
この発明に係る放送受信装置は、放送で送信されるコンテンツを予め設定された中から選択された人物と関連付けて予約設定する予約設定手段と、前記予約設定手段で受信を予約設定されたコンテンツが放送される放送を受信する放送受信手段と、前記放送受信手段を通して受信されたコンテンツを前記予め設定された中から選択されて予約設定された人物と関連付けて記録媒体へ記録する記録手段を備えるように構成している。
【０００６】
この発明に係る放送受信方法は、放送で送信されるコンテンツを予め設定された中から選択された人物と関連付けて予約設定するステップと、予約設定されたコンテンツを、放送を受信することで受信するステップと、受信されたコンテンツを前記予め設定された中から選択されて予約設定された人物と関連付けて記録するステップを備えるように構成している。
【０００７】
【発明の実施の形態】
以下、図面を参照して、この発明に係る実施の形態を説明する。
【０００８】
図１は、この発明の実施の形態に係る放送受信装置を説明するブロック図である。
【０００９】
符号１０はデジタル衛星放送として送信された放送衛星経由で受信するデジタル衛星放送受信アンテナ、符号１１はデジタル地上波放送として送信された放送を受信するデジタル地上波放送受信アンテナである。符号１２はチューナ、符号１３はデコーダ、符号１４はディスプレー（表示装置）、符号１５はタイマー、符号１６はＣＰＵ、符号１７は表示画面作成部、符号１８はＨＤＤ（記録装置）、符号１は放送受信装置である。
【００１０】
放送局から送信されたデジタル衛星放送は放送衛星を経由して、デジタル衛星放送受信アンテナ１０で受信される。デジタル衛星放送受信アンテナ１０で受信されたデジタル衛星放送はチューナ１２へ送信される。また、放送局から送信されたデジタル地上波放送は、デジタル地上波放送受信アンテナ１１で受信される。デジタル地上波放送受信アンテナ１１で受信されたデジタル地上波放送はチューナ１２へ送信される。
【００１１】
ＣＰＵ１６には、後述する受信予約が設定される。ここでの受信予約においては、表示画面作成部１７で作成された選択画面から選択された人物とコンテンツが関連付けられる。
【００１２】
タイマー１５は時刻を計時する。ＣＰＵ１６はタイマー１５と接続され、適宜タイマー１５から時刻情報を取得し、上記設定された予約に応じてチューナ１２とデコーダ１３の動作を制御する。
【００１３】
ＣＰＵ１６に制御されるチューナ１２は、デジタル衛星放送受信アンテナ１０から送信されたデジタル衛星放送およびデジタル地上波放送受信アンテナ１１から送信されたデジタル地上波放送から所定周波数の放送（放送局）を選択的に受信し、出力する。このときデジタル放送は符号化（エンコード）されている。
【００１４】
ＣＰＵ１６に制御されるデコーダ１３は、チューナ１２から出力された符号化された状態のデジタル放送を受信し、デコード処理を行なって映像信号および音声信号（以下、映像と音声を総称して映像と呼ぶ）を出力する。
【００１５】
デコーダ１３から出力された映像信号は、ディスプレー（表示装置）１４へ入力され映像が表示される。また、デコーダ１３から出力された映像信号は、ＣＰＵ１６に制御されるＨＤＤ（記録装置）１８へ入力され、映像信号として記録される。
【００１６】
図２は、この発明の実施の形態に係る放送受信装置の他の例を説明するブロック図である。
【００１７】
尚、同一の構成については同一の符号を付して説明を省略する。
【００１８】
図１で説明した放送受信装置がデジタル放送を受信するのに対し、ここではアナログ放送を受信する放送受信装置について説明する。
【００１９】
尚、上記図１を用いて説明したデジタル放送を受信する放送受信装置とこれから説明するアナログ放送を受信する放送受信装置を組み合わせることで、デジタル放送とアナログ放送の両者を受信する放送受信装置を構成できる。
【００２０】
符号３はアナログ衛星放送として送信された放送衛星経由で受信するアナログ衛星放送受信アンテナ、符号４はアナログ地上波放送として送信された放送を受信するアナログ地上波放送受信アンテナである。符号５はＡ／Ｄコンバータ、符号６はＭＰＥＧエンコーダ、符号２は放送受信装置である。
【００２１】
放送局から送信されたアナログ衛星放送は放送衛星を経由して、アナログ衛星放送受信アンテナ３で受信される。アナログ衛星放送受信アンテナ３で受信されたアナログ衛星放送はチューナ１２へ送信される。また、放送局から送信されたアナログ地上波放送は、アナログ地上波放送受信アンテナ４で受信される。アナログ地上波放送受信アンテナ４で受信されたアナログ地上波放送はチューナ１２へ送信される。
【００２２】
ＣＰＵ１６には、受信予約（後述）が設定される。ここでの受信予約においては、表示画面作成部１７で作成された選択画面から選択された人物とコンテンツが関連付けられる。
【００２３】
タイマー１５は時刻を計時する。ＣＰＵ１６はタイマー１５と接続され、適宜タイマー１５から時刻情報を取得し、上記設定された予約に応じてチューナ１２とＡ／ＤコンバータとＭＰＥＧエンコーダの動作を制御する。
【００２４】
ＣＰＵ１６に制御されるチューナ１２は、デジタル衛星放送受信アンテナ１０から送信されたデジタル衛星放送およびデジタル地上波放送受信アンテナ１１から送信されたデジタル地上波放送から所定周波数の放送（放送局）を選択的に受信し、出力する。
【００２５】
ＣＰＵ１６に制御されるＡ／Ｄコンバータ５は、チューナ１２から出力されたアナログ放送を受信し、デジタルの映像信号を出力する。
【００２６】
ＣＰＵ１６に制御されるＭＰＥＧエンコーダ６は、Ａ／Ｄコンバータ５から出力されたデジタル映像信号を受信し、ＭＰＥＧ２に係る圧縮（符号化）処理を行なってＭＰＥＧ圧縮された映像信号（データ）を出力する。
【００２７】
ＭＰＥＧエンコーダ６から出力されたＭＰＥＧ圧縮された映像信号（データ）は、ＣＰＵ１６に制御されるＨＤＤ（記録装置）１８へ入力され、映像信号として記録される。
【００２８】
また、チューナ１２から出力された放送（アナログ映像信号）は、ディスプレー（表示装置）１４へ入力され映像が表示される。
【００２９】
図３はこの発明に係る放送受信装置を操作するためのリモコンを示す図である。
【００３０】
符号３０はリモコン、符号２１ａは左方向移動ボタン、符号２１ｂは上方向移動ボタン、符号２１ｃは右向移動ボタン、符号２１ｄは下方向移動ボタン、符号２２は決定ボタンである。
【００３１】
ユーザによって、リモコン３０に設けられた上記操作ボタン（左方向移動ボタン２１ａ、上方向移動ボタン２１ｂ、右向移動ボタン２１ｃ、下方向移動ボタン２１ｄ、決定ボタン２２等）が操作され、この発明に係る予約が指示される。また、図示しないが、ユーザによって放送受信装置１、放送受信装置２本体に設けられた操作ボタンが操作されることによっても、この発明に係る予約が指示される。
【００３２】
放送受信装置１、放送受信装置２はリモコンから送信される予約指示または本体に設けられた操作ボタンが操作されることによる予約指示を受けてＣＰＵ１６に予約が設定される。
【００３３】
図４は、この発明に係る放送受信装置における記録予約（録画予約）を行なうための表示画面を示す図である。
【００３４】
ユーザによって、上記リモコン３０等が操作され、記録予約（録画予約）を行なうコンテンツと関連する人物を選択するための記録予約（録画予約）画面がディスプレー（表示装置）１４に表示される。ディスプレー（表示装置）１４の画面には、記録予約（録画予約）画面の表示がされている。
【００３５】
ディスプレー（表示装置）１４の画面の上部は、コンテンツ（番組）予約の、主にチューナ１２の制御に係る情報が設定される部分である。ここでは、チャンネルは１、日付は９月６日（金）、開始時刻は７：００、終了時刻は８：００、記録モードは標準モードが設定されている。これらの情報設定はユーザが逐次入力するように構成してもよいし、ＥＰＧ（Ｅｌｅｃｔｒｉｃａｌ  Ｐｒｏｇｒａｍａｂｌｅ  Ｇｕｉｄｅ）情報（電子番組表）を使用して設定するように構成してもよい。
【００３６】
ディスプレー（表示装置）１４の画面の下部は、コンテンツの受信、すなわち上記チューナ１２の制御に係る情報と関連する人物を選択する部分である。
【００３７】
コンテンツと関連する人物の選択手段として、ここでは、ＣＰＵ１６に予め設定されている選択肢が表示されている。例えば、ＣＰＵ１６に設定された、共通、父、母、子供が選択肢として表示される。
【００３８】
ユーザによってこの表示された選択肢から人物が選択される。このとき、カーソルが移動され、所定の選択肢上にカーソルが表示されているときに決定キーが押されると、コンテンツと関連する人物として選択される。ここでは、符号３１を付した選択肢、すなわち、共通（ここでは父、母、子供に共通）が選択される。
【００３９】
尚、上記選択肢の設定は固定する必要はなく、適宜、ＣＰＵ１６の設定を変更することで変更することができる。
【００４０】
次に、この発明に係る具体的な記録予約（録画予約）のようす（第１の例）を、フローチャートを用いて説明する。
【００４１】
図８は、この発明に係る記録予約（録画予約）に係る第１のフローチャートである。
【００４２】
符号１０１はスタートステップである。続いて符合１０２を付したステップへ進む。
【００４３】
符号１０２は、ユーザによって上記リモコン等が操作され、記録予約（録画予約）が選択されるステップである。ここでは、図４に示す表示画面がディスプレー（表示装置）１４に表示される。続いて符合１０３を付したステップへ進む。
【００４４】
符号１０３は、記録予約（録画予約）するコンテンツを、上記リモコン等を操作してユーザが決定するステップである。続いて符合１０４を付したステップへ進む。
【００４５】
符号１０４は、記録予約（録画予約）するコンテンツに個人情報（人物）を関連付けて設定するステップである。図４ではコンテンツと関連する人物として共通３１が選択される。続いて符合１０５を付したステップへ進む。
【００４６】
符号１０５は、コンテンツに個人情報（人物）を関連付けて、コンテンツを記録するステップである。個人情報（人物）が関連付けられたコンテンツはＨＤＤ１８に記録される。続いて符合１０６を付したステップへ進む。
【００４７】
符号１０６は、終了（ＥＮＤ）ステップであり、ここでの処理は終了する。
【００４８】
次に、この発明に係る具体的な記録予約（録画予約）のようす（第２の例）を、フローチャートを用いて説明する。
【００４９】
図９は、この発明に係る記録予約（録画予約）に係る第２のフローチャートである。
【００５０】
符号２０１はスタートステップである。続いて符合２０２を付したステップへ進む。
【００５１】
符号２０２は、ユーザによって上記リモコン等が操作され、記録予約（録画予約）が選択されるステップである。ここでは、図４に示す表示画面がディスプレー（表示装置）１４に表示される。続いて符合２０３を付したステップへ進む。
【００５２】
符号２０３は、記録予約（録画予約）するコンテンツに関連付ける個人情報（人物）を設定するステップである。図４ではコンテンツに関連付ける人物として共通３１が選択される。続いて符合２０４を付したステップへ進む。
【００５３】
符号２０４は、上記設定した個人情報（人物）とコンテンツを、関連付けて設定するステップである。続いて符合２０５を付したステップへ進む。
【００５４】
符号２０５は、コンテンツに個人情報（人物）を関連付けて、コンテンツを記録するステップである。個人情報（人物）が関連付けられたコンテンツはＨＤＤ１８に記録される。続いて符合２０６を付したステップへ進む。
【００５５】
符号２０６は、終了（ＥＮＤ）ステップであり、ここでの処理は終了する。
【００５６】
次に、記録されたコンテンツの関連する人物に基づく検索について説明する。
【００５７】
図５は、この発明に係る放送受信装置における記録されたコンテンツの内容一覧の人物を選択するための表示画面を示す図である。
【００５８】
この表示画面が、ディスプレー（表示装置）１４に表示される。
【００５９】
ここでは、共通、父、母、子供、全ての記録コンテンツが選択肢として表示される。
【００６０】
ユーザは上記のようにリモコン３０等を操作し、表示された選択肢を選択する。ここでは、符号３２を付した子供が選択される。
【００６１】
図６は、この発明に係る放送受信装置における記録されたコンテンツの選択された人物に係る内容を表示するための表示画面を示す図である。
【００６２】
この表示画面が、ディスプレー（表示装置）１４に表示される。
【００６３】
ここでは、上記選択された人物、すなわち子供の記録（録画）内容一覧がリスト表示される。ここでは所定の順序で配列された上位３つのコンテンツが表示され、表示しきれないコンテンツはカーソルを▽方向に動作させることで、続いて表示されるようになっている。ここで表示されているコンテンツは、コンテンツ１：放送日時は９／１、１８：００〜１８：３０、チャンネルは４ｃｈ、番組名はでかまるおくん、コンテンツ２：放送日時は９／１、１８：３０〜１９：００、チャンネルは８ｃｈ、番組名はさざえくん、コンテンツ３：放送日時は９／２、１９：００〜１９：３０、チャンネルは４ｃｈ、番組名は名探偵るぱんである。
【００６４】
これらのコンテンツ１、コンテンツ２、コンテンツ３の左側には□で示した選択用の表示部が配置されている。ここでは、符号３３を付した表示部が他と異なるように表示されて（すなわち選択されていることを示して）おり、コンテンツ１：放送日時は９／１、１８：００〜１８：３０、チャンネルは４ｃｈ、番組名はでかまるおくんが選択されていることを示している。
【００６５】
図７は、この発明に係る放送受信装置における記録されたコンテンツの選択された人物に係る内容を表示するための表示画面を示す図である。
【００６６】
この表示画面が、ディスプレー（表示装置）１４に表示される。
【００６７】
ここでは、上記選択された人物、すなわち全ての記録コンテンツ内容一覧がリスト表示される。ここでは所定の順序で配列された上位３つのコンテンツが表示され、表示しきれないコンテンツはカーソルを▽方向に動作させることで、続いて表示されるようになっている。ここで表示されているコンテンツは、コンテンツ１：放送日時は９／１、１０：５５〜１１：００、チャンネルは４ｃｈ、番組名は５分間クッキング、コンテンツ２：放送日時は９／１、１２：００〜１３：００、チャンネルは８ｃｈ、番組名は笑っていいかも、コンテンツ３：放送日時は９／１、１８：００〜１８：３０、チャンネルは４ｃｈ、番組名はでかまるおくんである。
【００６８】
これらのコンテンツはコンテンツ毎にそのコンテンツと関連する人物が表示されている。すなわち、コンテンツ１には符号４１ａを付した母が、コンテンツ２には符号４１ｂを付した父が、コンテンツ３には符号４１ｃを付した子が表示されている。
【００６９】
また、これらのコンテンツ１、コンテンツ２、コンテンツ３の左側には上記と同様に、□で示した選択用の表示部が配置されている。ここでは、符号３４を付した表示部が他と異なるように表示されて（すなわち選択されていることを示して）おり、コンテンツ１：放送日時は９／１、１０：５５〜１１：００、チャンネルは４ｃｈ、番組名は５分間クッキング、コンテンツと関連する人物は母が選択されていることを示している。
【００７０】
次に、この発明に係る具体的な記録（録画）されたコンテンツの再生のようすを説明する。
【００７１】
図１０は、この発明に係る記録（録画）されたコンテンツの再生に係るフローチャートである。
【００７２】
符号３０１はスタートステップである。続いて符合３０２を付したステップへ進む。
【００７３】
符号３０２は、ユーザによって上記リモコン等が操作され、記録（録画）内容一覧画面を表示するステップである。ここでは、図５に示す表示画面がディスプレー（表示装置）１４に表示される。続いて符合３０３を付したステップへ進む。
【００７４】
符号３０３は、表示したい内容（人物）を選択するステップである。図５では表示する内容（人物）として、子供３２が選択される。続いて符合３０４を付したステップへ進む。
【００７５】
符号３０４は、選択された人物に関連する記録コンテンツを一覧表示するステップである。ここでは、図６に示す表示画面が表示される。続いて符合３０５を付したステップへ進む。
【００７６】
符号３０５は、表示された記録コンテンツ一覧（ここでは子供の記録（録画）内容一覧）からコンテンツを選択するステップである。続いて符合３０６を付したステップへ進む。
【００７７】
符号３０６は選択されたコンテンツを再生するステップである。選択されたコンテンツをＨＤＤ１８から読み出して再生する。続いて符合３０７を付したステップへ進む。
【００７８】
符号３０７は、終了（ＥＮＤ）ステップであり、ここでの処理は終了する。
【００７９】
この発明によれば、記録媒体に記録（録画）されたコンテンツが一覧表示されるコンテンツ一覧に、人物の情報が表示されるので、ユーザが、人物に関連付けられた所望のコンテンツを容易に検索することができ、また視聴することが可能となる。
【００８０】
また、この発明によれば、コンテンツに関連付けられた人物毎に対応したコンテンツを表示することができるので、ユーザが、所望のコンテンツを容易に検索することができ、また視聴することが可能となる。
【００８１】
尚、上記説明においては放送受信装置１とディスプレー（表示装置）１４は別体で構成されるものを例にとり説明したが、この発明はこれにとらわれるものではなく、放送受信装置１とディスプレー（表示装置）１４が同体に構成されてもよい。
【００８２】
【発明の効果】
上記説明したように、この発明によれば、記録媒体に記録（録画）されたコンテンツが一覧表示されるコンテンツ一覧に、人物の情報が表示されるので、ユーザが、人物に関連付けられた所望のコンテンツを容易に検索することができ、また視聴することが可能となる。
【００８３】
また、この発明によれば、コンテンツに関連付けられた人物毎に対応したコンテンツを表示することができるので、ユーザが、所望のコンテンツを容易に検索することができ、また視聴することが可能となる。
【図面の簡単な説明】
【図１】この発明の実施の形態に係る放送受信装置を示すブロック図。
【図２】この発明の実施の形態に係る放送受信装置の他の例を示すブロック図。
【図３】この発明に係る放送受信装置を操作するためのリモコンを示す図。
【図４】この発明に係る放送受信装置における記録予約（録画予約）を行なうための表示画面を示す図。
【図５】この発明に係る放送受信装置における記録されたコンテンツの内容一覧の人物を選択するための表示画面を示す図。
【図６】この発明に係る放送受信装置における記録されたコンテンツの選択された人物に係る内容を表示するための表示画面を示す図。
【図７】この発明に係る放送受信装置における記録されたコンテンツの選択された人物に係る内容を表示するための表示画面を示す図。
【図８】この発明に係る記録予約（録画予約）に係る第１のフローチャート。
【図９】この発明に係る記録予約（録画予約）に係る第２のフローチャート。
【図１０】この発明に係る記録（録画）されたコンテンツの再生に係るフローチャート。
【符号の説明】
１  …  放送受信装置
２  …  放送受信装置
３  …  アナログ衛星放送受信アンテナ
４  …  アナログ地上波放送受信アンテナ
５  …  Ａ／Ｄコンバータ
６  …  ＭＰＥＧエンコーダ
１０  …  デジタル衛星放送受信アンテナ
１１  …  デジタル地上波放送受信アンテナ
１２  …  チューナ
１３  …  デコーダ
１４  …  ディスプレー（表示装置）
１５  …  タイマー
１６  …  ＣＰＵ
１７  …  表示画面作成部
１８  …  ＨＤＤ（記録装置）
２１ａ  …  左方向移動ボタン
２１ｂ  …  上方向移動ボタン
２１ｃ  …  右向移動ボタン
２１ｄ  …  下方向移動ボタン
２２  …  決定ボタン
３０  …  リモコン
【図１】
2004201151.tif 000003
【図２】
2004201151.tif 000004
【図３】
2004201151.tif 000005
【図４】
2004201151.tif 000006
【図５】
2004201151.tif 000007
【図６】
2004201151.tif 000008
【図７】
2004201151.tif 000009
【図８】
2004201151.tif 000010
【図９】
2004201151.tif 000011
【図１０】
2004201151.tif 000012